(57)【要約】【課題】手に把持する必要がなく、移動時に作業員の負担にならず、害虫からの突然の襲撃にあっても即座に対応可能な害虫忌避装置を提供する。【解決手段】人体に着脱可能な装着具１０と、装着具１０に設けられてスプレー缶１００を着脱自在に保持するホルダ２０と、作動時にホルダ２０によって保持されたスプレー缶１００の噴霧ボタンを押圧する押圧片と、一部を押圧片に接続されたワイヤ５０の他部に接続されることにより噴霧操作されたときにワイヤ５０を介して押圧片を作動させる操作レバー５４と、を備えた。【選択図】図１
2011041480.tif 000002
【特許請求の範囲】
【請求項１】
人体に着脱可能な装着具と、該装着具に設けられてスプレー缶を着脱自在に保持するホルダと、作動時に該ホルダによって保持された前記スプレー缶の噴霧ボタンを押圧する押圧片と、一部を該押圧片に接続されたワイヤの他部に接続されることにより噴霧操作されたときに該ワイヤを介して該押圧片を作動させる操作レバーと、を備えたことを特徴とする害虫忌避装置。
【請求項２】
前記装着具は、人体の少なくとも一部に対して着脱可能に構成されていることを特徴とする請求項１に記載の害虫忌避装置。
【請求項３】
前記ホルダは、保持した前記スプレー缶の噴霧方向を変更可能な継手を備えていることを特徴とする請求項１又は２に記載の害虫忌避装置。
【発明の詳細な説明】
【技術分野】
【０００１】
本発明は、送電線の保守等のために作業員が山岳地帯等を歩行する過程で蜂、虻等の飛翔する害虫に襲われた場合に、殺虫剤スプレーを遅滞なくしかも効果的に害虫に向けて噴霧して撃退、殺傷することを可能とする害虫忌避装置に関するものである。
【背景技術】
【０００２】
山岳地帯に設置された鉄塔、及び送電線を保守、点検するために作業員は各種工具類、部品等を収容したリュックサック等を背負ったり、手に工具袋等を保持して山岳地帯を移動する。この際、蜂、虻、蚊等の飛翔する害虫に襲われる事故が多発している。害虫は、作業員の頭部、顔面等の露出部位を刺そうとする一方で、作業員は手に荷物を有しているため、突然の襲来に対応できずに露出部位を刺されることが多い。特に、スズメバチ等の中型、大型の攻撃的な蜂による被害が近年多発している。
このような事故を防止するために作業員は蜂用殺虫剤（殺虫スプレー缶）を着衣のポケットやリュックサック等に収容して携行しているが、害虫による急な襲撃があった場合に、収容した殺虫スプレー缶を取り出していたのでは対応し切れないことが多いため、殺虫スプレー缶を常時手で持つ必要がある。しかし、実際には手に荷物を保持しながら移動するケースが大半であるために殺虫スプレー缶を手で持ち歩く余裕がなく、無防備な状態となっている。
殺虫剤の他にも、特許文献１に記載されているような粘着物を噴霧する蜂対策スプレー、あるいは特許文献２に記載されているような、蜂の針が貫通しない厚手の生地から作製した蜂防護服等が蜂対策用品として存在する。
【先行技術文献】
【特許文献】
【０００３】
【特許文献１】特開２００７−１３５５４９公報
【特許文献２】特開平１０−５３９０７号公報
【発明の概要】
【発明が解決しようとする課題】
【０００４】
このように、山岳地帯を巡視等のために移動する保守作業員が種々の作業用品を手で持ち歩く必要があることを考慮すると、突発的な害虫の襲来を予想して常に殺虫スプレーを手で把持することは現実的ではない。そのため、突然害虫に襲われた場合には即座に対応ができず、害虫に刺されてしまうという問題がある。また、蜂は黒い物体を襲うという蜂の習性上、蜂から逃げている間は後頭部を刺されやすいが、後方にスプレーを噴射しながら逃げることは困難である。
また、特許文献２記載の発明によれば、突然の害虫の襲来があっても防護服により被害を食い止めることができるが、防護服は厚手の生地から構成されているために動き辛く、着用して山岳地帯を移動するには適さない。
本発明は上述の問題点に鑑みてなされたものであり、手で把持する必要がなく、移動時に作業員の負担にならず、突然の害虫の襲来があっても即座に対策可能な害虫忌避装置を提供することを目的とする。
【課題を解決するための手段】
【０００５】
上記の課題を解決するために、請求項１に記載の発明は、人体に着脱可能な装着具と、該装着具に設けられてスプレー缶を着脱自在に保持するホルダと、作動時に該ホルダによって保持された前記スプレー缶の噴霧ボタンを押圧する押圧片と、一部を該押圧片に接続されたワイヤの他部に接続されることにより噴霧操作されたときに該ワイヤを介して該押圧片を作動させる操作レバーと、を備えた害虫忌避装置を特徴とする。
本発明の害虫忌避装置においては、人体に装着したスプレー缶の噴霧ボタンがワイヤを介して接続された操作レバーにより作動する。
請求項２に記載の発明は、前記装着具は、人体の少なくとも一部に対して着脱可能に構成されていることを特徴とする。
本発明の害虫忌避装置は、人体の適所に着脱可能である。
請求項３に記載の発明は、前記ホルダは、保持した前記スプレー缶の噴霧方向を変更可能な継手を備えていることを特徴とする。
本発明の害虫忌避装置は、継手によりスプレー缶の噴霧方向が自在に変更可能な構成を有している。
【発明の効果】
【０００６】
本発明によれば、殺虫スプレー缶を人体に装着するので、スプレー缶を手で把持する必要がなく、山岳地帯を安全に移動できる。また、殺虫スプレー缶を人体に装着した状態でスプレーを噴射できるので、突然の害虫の襲来があってもスプレーを即座に噴射でき、害虫による事故を未然に防止できる。
【図面の簡単な説明】
【０００７】
【図１】害虫忌避装置を装着した様子を示す図である。
【図２】装着具側ホルダ部分の要部拡大図である。
【図３】装着具側ホルダへスプレー缶を装着した様子を示す図である。
【図４】スプレー缶側ホルダの斜視図である。
【図５】害虫忌避装置の動作状態を示す図であり、（ａ）は噴射停止状態を示す図であり、（ｂ）は噴射状態を示す図である。
【図６】害虫忌避装置を装着した様子を示す図である。
【図７】第二の実施形態に係る害虫忌避装置の要部を示した斜視図である。
【発明を実施するための形態】
【０００８】
〔第一の実施形態〕
以下、本発明の第一の実施形態に係る害虫忌避装置を図１乃至図４に基づいて詳細に説明する。図１は、害虫忌避装置を人体に装着した様子を示す図である。図２は、装着具側ホルダ部分の要部拡大図である。図３は、装着具側ホルダへスプレー缶を装着した様子を示す図である。図４は、スプレー缶側ホルダの斜視図である。
図１に示すように、本実施形態に係る害虫忌避装置１は、殺虫剤や害虫忌避剤等の内容物が充填されたスプレー缶１００を人体の適所に取り付ける装置である。害虫忌避装置１は、人体に着脱可能な装着具１０と、装着具１０に設けられてスプレー缶１００を着脱自在に保持するホルダ２０（図２乃至図４参照）と、作動時にホルダ２０によって保持されたスプレー缶１００の噴霧ボタン１０１を押圧する押圧片４８と（図４、５参照）、一部を押圧片４８に接続されたワイヤ５０の他部に接続されることにより噴霧操作されたときにワイヤ５０を介して押圧片４８を作動させる操作レバー５４と、を備える。
【０００９】
装着具１０は、人体の種々の箇所へスプレー缶１００を装着可能とする用具である。図１に示す装着具１０は、人体の胸部、胴部、肩部にスプレー缶１００を装着可能とするベストである。ベスト以外にも、胴部に装着可能とする腹巻きやベルト、腕部に装着可能とするベルト、肩部に装着可能とする肩サポータ、臀部に装着可能とするズボン、脚部に装着可能とするベルト、頭部に装着可能とするヘルメット等を用いることができる。或いは、リュックサック等の肩ベルトに装着してもよい。これらを単独で、又は適宜組み合わせて使用することにより、人体の任意の箇所へスプレー缶１００を装着可能とする。
ホルダ２０は、装着具１０側のホルダである装着具側ホルダ２２と、スプレー缶１００側のホルダであるスプレー缶側ホルダ３０と、から構成されている。
装着具側ホルダ２２は図２に示すように、挿通穴２４と鉄板２６とを備え、予め装着具１０の適所に取り付けられている。
【００１０】
スプレー缶側ホルダ３０は図４及び図５に示すように、スプレー缶１００の側周面に巻回されてスプレー缶１００を保持するベルト３２と、ベルト３２から延在する挿通片３６と、挿通片３６のベルト３２側端部に配置された磁石３８と、ベルト３２の適所に固定された連結部材４０と、連結部材４０の一側面に配置されてスプレー缶１００の側面に吸着する磁石４２と、連結部材４０により軸方向へ進退自在に保持されると共に装着時にスプレー缶１００の側面に添設されてスプレー缶１００の頭部側と底部側を挟持する先端がフック状の支持部材４４と、支持部材４４を収縮させる方向に弾性付勢する弾性付勢部材４６と、連結部材４０により出没自在に支持されて噴霧ボタン１０１を押圧するための略コの字状の引っ掛け部を有した押圧片４８と、押圧片４８を連結部材４０から突出させる方向に弾性付勢する弾性付勢部材４９と、一部を押圧片４８に接続されたワイヤ５０と、ワイヤ５０の他端に接続されて押圧片４８を作動させる操作レバー５４を備えた操作部５２と、を備えている。
【００１１】
ベルト３２は、伸縮自在なゴムベルトと面ファスナー（不図示）とを備えた部材であり、ゴムベルトをスプレー缶１００に巻回させた状態にて面ファスナーを閉じ合わせることによりスプレー缶１００を周方向において着脱自在に保持する。
挿通片３６と磁石３８は、装着具側ホルダ２２と適合する形状を有する。挿通片３６を挿通穴２４に挿通し、磁石３８を鉄板２６に吸着させることにより、スプレー缶１００を装着具１０に着脱自在に保持できる。
支持部材４４は、装着時にスプレー缶１００の軸方向に延在する棒状部材である。図５に示すように鈎状のフック部である底部側支持部材４４ａの端部をスプレー缶１００の底部１０２に掛止し、鈎状のフック部である頭部側支持部材４４ｂをスプレー缶１００の肩部１０３又は頭部１０４に掛止して用いる。なお、図示の支持部材４４は、底部側支持部材４４ａが連結部材４０に固定され、頭部側支持部材４４ｂのみが引っ張りばねからなる付勢部材４６によって弾性付勢されている。頭部側支持部材４４ｂは、スプレー缶１００の円筒軸方向に進退自在に移動する。
押圧片４８は、噴霧ボタン１０１の移動方向に進退する。付勢部材４９は押圧片４８を噴霧ボタン１０１から離間する方向に付勢する。なお、図５は、頭部１０４から円筒軸方向に内容物を噴射するタイプのスプレー缶１００をスプレー缶側ホルダ３０に装着した様子を示しているが、頭部１０４から径方向に内容物を噴射するタイプのスプレー缶にも本発明を適用可能である。
【００１２】
ワイヤ５０は、操作部５２の動作を押圧片４８に伝達する手段である。内部に収容されたワイヤケーブルにより、押圧片４８が作動するように構成する。ワイヤ５０は、作業員の移動時や作業時に支障がないように適宜取り回し用のガイド（不図示）を用いて腕に留めることが望ましい。
操作部５２は操作レバー５４とグリップ５６とを備え、操作レバー５４はグリップ５６の一端部に支点を有し、操作レバー５４を握りしめたときにテコの原理により軽い力で押圧片４８を作動させる。操作部５２は、害虫に襲撃されたとき直ちに操作可能となるようバンドやグローブ等を用いて手に固定することが望ましい。
【００１３】
本発明の害虫忌避装置１の使用法について図５に基づいて説明する。図５は、害虫忌避装置の動作状態を示す図であり、（ａ）は噴射停止状態を示す図であり、（ｂ）は噴射状態を示す図である。
装着者が操作レバー５４を握ると、ワイヤ５０を介して押圧片４８が作動し、噴霧ボタン１０１を押圧するので、スプレー缶１００から内容物を噴射できる（図５（ｂ））。操作レバー５４から手を離すと、付勢部材４９の付勢力により押圧片４８が噴霧ボタン１０１から離間する方向に移動して、噴射が停止する（図５（ａ））。
【００１４】
スプレー缶１００を装着具１０に複数取り付けることによって、任意の方向へ噴射できる。図６は害虫忌避装置を人体に装着した様子を示す図である。例えば、図１及び図６に示すように前方噴射用スプレー缶１００ａと後方噴射用スプレー缶１００ｂとを人体に取り付けることができる。そして、各スプレー缶に対応する操作部５２を夫々の手に割り当てれば、各スプレー缶から個別に噴射できる。
また、図６に示すように、双方のグリップ５６を重ね合わせて接合することも可能である。重ね合わせたグリップ５６ａ、５６ｂと前方用操作レバー５４ａとを同時に握れば、前方噴射用スプレー缶１００ａから内容物を噴射できる。後方噴射も同様である。また、前方用操作レバー５４ａと後方用操作レバー５４ｂとを同時に握れば、前方噴射用スプレー缶１００ａと後方噴射用スプレー缶１００ｂの双方から同時に内容物を噴射できる。
スプレー缶１００は、挿通片３６と磁石３８により装着具１０に取り付けられているので、容易に挿通片３６を挿通穴２４から引き抜くことができる。必要に応じて、スプレー缶１００を手に持って噴射することができる。
【００１５】
以上のように、本実施形態によれば、スプレー缶を人体に装着するので、スプレー缶を手で把持する必要がなく、山岳地帯を安全に移動できる。また、殺虫スプレー缶を人体に装着した状態でスプレーを噴射できるので、突然の害虫の襲来があってもスプレーを即座に噴射でき、害虫による事故を未然に防止できる。
【００１６】
〔第二の実施形態〕
本発明の第二の実施形態について図７に基づいて説明する。図７は、第二の実施形態に係る害虫忌避装置の要部を示した斜視図である。本実施形態に係る害虫忌避装置は、スプレー缶の噴霧方向を変更可能な自在継手を備えた点に特徴がある。第一の実施形態と同一の部材には同一の符号を付してその説明を省略する。
本実施形態における害虫忌避装置２のスプレー缶側ホルダ６０は、スプレー缶１００を周方向において支持する支持リング６２と、噴霧ボタン１０１を押圧する押圧片４８と、底部１０２に当接することにより押圧片４８とともにスプレー缶１００の円筒軸方向を支持する支持部材６４と、押圧片４８と支持部材６４とを連結する連結部材６６と、連結部材６６に固着されて、スプレー缶側ホルダ６０に装着されたスプレー缶１００の噴射方向を自在に変更する自在継手（ボールジョイント等）６８と、を備える。装着具１０には自在継手６８を介してスプレー缶１００を装着する。
支持リング６２はスプレー缶１００を着脱自在に保持する。例えば、支持リング６２を適度な弾力性及び剛性を有する材料、例えばゴム、ウレタン、あるいはプラスチック等から構成して、スプレー缶１００を円筒軸方向に着脱自在に構成できる。
【００１７】
本実施形態に係る害虫忌避装置によれば、スプレー缶の姿勢を自在継手にて変更できるので、一つのスプレー缶で前方、後方、又はその他の方向へ噴射できる。また、第一の実施形態においては、スプレー缶からの噴射が円筒軸方向か径方向であるかによって、装着具側ホルダの装着具に対する向きを変更する必要があったが、本実施形態によれば、スプレー缶の噴射方向に関係なく、害虫忌避装置に取り付けて使用可能である。
【符号の説明】
【００１８】
１、２…害虫忌避装置、１０…装着具、２０…ホルダ、２２…装着具側ホルダ、２４…挿通穴、２６…鉄板、３０…スプレー缶側ホルダ、３２…ベルト、３６…挿通片、３８…磁石、４０…連結部材、４２…磁石、４４…支持部材、４４ａ…底部側支持部材、４４ｂ…頭部側支持部材、４６…付勢部材、４８…押圧片、４９…付勢部材、５０…ワイヤ、５２…操作部、５４…操作レバー、５４ａ…前方用操作レバー、５４ｂ…後方用操作レバー、５６、５６ａ、５６ｂ…グリップ、６０…スプレー缶側ホルダ、６２…支持リング、６４…支持部材、６６…連結部材、６８…自在継手、１００…スプレー缶、１００ａ…前方噴射用スプレー缶、１００ｂ…後方噴射用スプレー缶、１０１…噴霧ボタン、１０２…底部、１０３…肩部、１０４…頭部
【図１】
2011041480.tif 000003
【図２】
2011041480.tif 000004
【図３】
2011041480.tif 000005
【図４】
2011041480.tif 000006
【図５】
2011041480.tif 000007
【図６】
2011041480.tif 000008
【図７】
2011041480.tif 000009